(57)【要約】【課題】  被写体に対して良好な照明を行うと共に簡素な構造を有する撮像装置を提供する。【解決手段】  撮影レンズ６を介した被写体光を撮像する撮像素子と、前記被写体を照明する照明光を射出する発光部４０と、発光部４０から射出された照明光を前記被写体に向けて反射させると共に、その配置の状態が可変である反射部材と、撮影レンズ６の物理的な形状に関するレンズ情報に基づいて、反射部材の前記配置に関する位置情報を生成する位置情報生成部とを備える。【選択図】  図９
2010039025.tif 000002
【特許請求の範囲】
【請求項１】
撮影レンズを介した被写体光を撮像する撮像素子と、
前記被写体を照明する照明光を射出する発光部と、
前記発光部から射出された照明光を前記被写体に向けて反射させると共に、その配置の状態が可変である反射部材と、
前記撮影レンズの物理的な形状に関するレンズ情報に基づいて、前記反射部材の前記配置に関する位置情報を生成する位置情報生成部と
を備えることを特徴とする撮像装置。
【請求項２】
前記レンズ情報を取得するレンズ情報取得部を備え、
前記位置情報生成部は、前記レンズ情報取得部により取得したレンズ情報に基づいて、前記配置に関する位置情報を生成することを特徴とする請求項１記載の撮像装置。
【請求項３】
前記被写体までの距離を測定する測距部を備え、
前記位置情報生成部は、前記被写体までの距離を更に考慮して、前記配置に関する位置情報を生成することを特徴とする請求項１または２記載の撮像装置。
【請求項４】
前記配置に関する位置情報は、前記反射部材の前記発光部に対する距離及び角度の情報を含むことを特徴とする請求項１〜３の何れか一項に記載の撮像装置。
【請求項５】
前記配置に関する位置情報を表示する表示部を備えることを特徴とする請求項１〜４の何れか一項に記載の撮像装置。
【請求項６】
前記反射部材を前記配置に関する位置情報で示される配置状態に保持する保持機構を備えることを特徴とする請求項１〜５の何れか一項に記載の撮像装置。
【請求項７】
前記配置に関する位置情報に基づいて、前記反射部材を配置制御する駆動機構を備えることを特徴とする請求項１〜５の何れか一項に記載の撮像装置。
【請求項８】
前記発光部は、該撮像装置に内蔵されることを特徴とする請求項１〜７の何れか一項に記載の撮像装置。
【請求項９】
前記発光部は、該撮像装置に外付けされることを特徴とする請求項１〜７の何れか一項に記載の撮像装置。
【請求項１０】
前記発光部は、前記撮影レンズの光軸に対して略垂直な方向に前記照明光を発光することを特徴とする請求項１〜９の何れか一項に記載の撮像装置。
【請求項１１】
前記レンズ情報は、前記撮影レンズの長さ及び直径の情報を含むことを特徴とする請求項１〜１０の何れか一項に記載の撮像装置。
【発明の詳細な説明】
【技術分野】
【０００１】
本発明は、発光部から射出される照明光を反射させる反射部材を備える撮像装置に関するものである。
【背景技術】
【０００２】
従来、カメラに内蔵された発光部から射出された照明光を、該カメラに装着された照射方向変更部材によって反射し、被写体を間接的に照明するカメラが提案されている（例えば、特許文献１参照）。また、効率良く被写体を照明できる位置と角度に、カメラが備える発光部を自動的に配置する駆動機構を備えるフラッシュシステムが提案されている（例えば、特許文献２参照）。
【特許文献１】特開２００５−３０８７８６号公報
【特許文献２】特開平８−５４６６９号公報
【発明の開示】
【発明が解決しようとする課題】
【０００３】
ところで、特許文献１記載のカメラでは、照明光を反射する照射方向変更部材がレンズキャップ等であるため、該照射方向変更部材を配置する位置や角度が限定される。従って、被写体や撮影環境に応じて照明光の反射態様を適宜変更して良好な照明を行うことができない場合がある。また、特許文献２記載のフラッシュシステムは、駆動機構によって発光部を移動させる構成を有しているため、該駆動機構により重量のある発光部を支持し、更に、発光部に対して電力を供給する手段を備える必要があり、撮像装置の小型化、軽量化に不利であると共に製造コストも上昇する。
【０００４】
本発明の目的は、被写体に対して良好な照明を行うと共に、簡素な構造を有する撮像装置を提供することである。
【課題を解決するための手段】
【０００５】
以下に本発明の構成を実施の形態の符号を付して説明するが、本発明は、この実施の形態に限定されるものではない。
【０００６】
本発明の撮像装置（２）は、撮影レンズ（６）を介した被写体光を撮像する撮像素子（１１０）と、前記被写体を照明する照明光を射出する発光部（４０）と、発光部（４０）から射出された照明光を前記被写体に向けて反射させると共に、その配置の状態が可変である反射部材と、撮影レンズ（６）の物理的な形状に関するレンズ情報に基づいて、反射部材の前記配置に関する位置情報を生成する位置情報生成部（１４０）とを備えることを特徴とする。
【発明の効果】
【０００７】
本発明の撮像装置によれば、照明光を反射する反射部材を、撮影レンズのレンズ情報に基づいて生成された位置情報で示される配置状態に配置させることにより、被写体に対して良好な照明を行うことができる。また、反射部材のみを位置情報で示される位置に配置させればよいので、撮像装置の構造を簡素にして製造コストを低下させることができる。
【発明を実施するための最良の形態】
【０００８】
以下、図面を参照して本発明の第１の実施の形態に係る撮像装置としてのカメラについて説明する。なお、この第１の実施の形態においては、照明光を射出するストロボ装置を内蔵した撮影レンズ交換式のデジタルカメラを例として説明する。図１は、この実施の形態に係るカメラにおいて、ストロボ装置を使用していないときの外観を示す斜視図である。カメラ２は、金属やプラスチック等からなるカメラ本体４を備え、カメラ本体４の前面には、着脱可能な撮影レンズ６が装着されている。カメラ本体４の上面の略中央部には、後述する反射板３０（図４参照）及び発光部４０（図３参照）を備えるストロボ装置８が設けられている。また、カメラ本体４の上面には、カメラ２の電源のオン・オフを切り替える電源スイッチ１０、レリーズ動作を指示するシャッタボタン１２及びストロボ装置８を使用するストロボ撮影モードに切り替えるモード切替スイッチ１４が設けられている。
【０００９】
ストロボ装置８の上面には、発光部４０から射出されるストロボ光が透過するストロボ窓８０と、ストロボ撮影時にカメラ本体４内から繰り出される反射板３０が通過する開口８２が設けられている。なお、図１に示すように、ストロボ装置８を使用しない状態では、開口８２は開口カバー８４によって閉塞されている。
【００１０】
図２は、この実施の形態に係るカメラの背面の構成を示す図である。カメラ本体４の背面には、反射板３０の配置状態に関する位置情報や、撮影条件、被写体のスルー画像等を表示するＬＣＤパネル２０及びＬＣＤパネル２０に表示されるメニュー画面の項目選択に使用するマルチセレクタ２２等が設けられている。
【００１１】
図３は、この実施の形態に係るストロボ装置未使用時のカメラの模式断面図である。なお、図３は、撮影レンズの光軸を含む鉛直面によるカメラの模式断面図である。カメラ本体４に設けられているストロボ装置８の上面に設置されたストロボ窓８０の直下には、ストロボ撮影時にストロボ光を発光する発光部４０が設置されている。カメラ本体４内には、発光部４０を図３中の上下方向へ移動させる図示しない発光部移動機構が設置されており、ストロボ光発光時の発光部４０の位置を変化させることで、ストロボ窓８０を透過したストロボ光の射出角度を変化させる。なお、発光部４０は、ストロボ発光を行わないときには、図３に示される初期位置に配置されている。また、反射板３０の保持機構を構成するアーム３４、スライドレール３６及びスライドガイド３８は、図３に示されるような状態でカメラ本体４内に完全に収納されており、ストロボ装置８の開口８２は開口カバー８４によって閉塞されている。
【００１２】
図４は、この実施の形態に係るカメラが備える反射板及び保持機構がカメラ本体４内に収納されているときの状態を示す斜視図である。図４に示すように、ストロボ光を反射する反射板３０は、表面に表反射面３０ａを有し、裏面に裏反射面３０ｂ（図９，１０参照）を有している。反射板３０は、反射板３０の一端部近傍（図３における上端部近傍）に挿通された回動軸３２（図１０参照）を介して、反射板３０の両側に設けられたアーム３４，３４に対して回動自在かつ任意あるいは所定の角度において固定可能に取り付けられている。アーム３４，３４の外側面（反射板３０が設置されている側の面と反対側の面）には、断面コ字状のスライドレール３６，３６が設けられており、アーム３４，３４は、アーム３４，３４の外側面の下端近傍部分に突設された支持部（不図示）を介して、スライドレール３６，３６に対してスライド自在かつ任意あるいは所定の位置において固定可能に取り付けられている。また、アーム３４，３４は、スライドレール３６，３６上の固定された位置において、当該支持部を回動軸として保持機構の前方へ張り出すように（図７に示す矢印Ａ方向に）回動することができる。また、スライドレール３６，３６の外側には、カメラ本体４に対して固定された断面コ字状のスライドガイド３８，３８が設けられており、スライドレール３６，３６は、スライドガイド３８，３８によってスライド自在かつ任意あるいは所定の位置において固定可能に支持されている。なお、アーム３４，３４、スライドレール３６，３６及びスライドガイド３８，３８が反射板３０の保持機構を構成している。
【００１３】
次に、この実施の形態に係るカメラのストロボ撮影に係るシステムの構成について説明する。図５は、この実施の形態に係るカメラのシステム構成を示すブロック図である。カメラ２が備えるカメラＣＰＵ１００には、カメラＣＰＵ１００への電力供給のオン・オフを切り替える電源スイッチ１０、レリーズ動作を指示するシャッタボタン１２、ストロボ撮影モードの設定を行うモード切替スイッチ１４、ＬＣＤパネル２０に表示されているメニュー画面等の項目を選択する際に用いるマルチセレクタ２２、撮影レンズ６を介して入射した被写体光を撮像信号に変換する撮像素子１１０、ＬＣＤパネル２０の表示制御を行うＬＣＤ表示制御部１２０、被写体までの距離を測定する測距部１３０が接続されている。また、カメラＣＰＵ１００には、カメラ２に装着された撮影レンズ６が備えるレンズＣＰＵ６００から出力されるレンズ情報を取得するレンズ情報取得部１６０が接続されている。ここで、レンズ情報には、長さや直径等の撮影レンズ６の物理的形状に係る情報が含まれている。更に、カメラＣＰＵ１００には、測距部１３０により計測された被写体までの距離（被写体距離）と、レンズ情報取得部１６０により取得されたレンズ情報に基づいて、反射板３０の配置に関する位置情報を生成する位置情報生成部１４０が接続されている。ここで、反射板３０の位置情報には、反射板３０の発光部４０に対する距離及び角度、即ち、アーム３４のスライドレール３６に対するスライド量、スライドレール３６のスライドガイド３８に対するスライド量、及び反射板３０とアーム３４の回動角度の情報が含まれる。また、位置情報生成部１４０は、取得した被写体距離とレンズ情報に基づいて、発光部４０のカメラ本体４内部での上下方向の配置に関する発光部位置情報も生成する。カメラＣＰＵ１００に接続された発光制御部１５０は、発光部４０から射出されるストロボ光の光量や発光のタイミングを制御すると共に、位置情報生成部１４０において生成された発光部位置情報に基づき、発光部移動機構を駆動して発光部４０の配置制御を行う。
【００１４】
次に、図６のフローチャートを参照して、カメラ２のストロボ撮影時に実行される処理について説明する。カメラ２の電源オン時に、モード切替ボタン１４の操作によってストロボ撮影モードが選択されると（ステップＳ１０）、カメラＣＰＵ１００は、カメラ２に装着されている撮影レンズ６のレンズＣＰＵ６００から、レンズ情報取得部１６０を介して撮影レンズ６のレンズ情報を取得する（ステップＳ１２）。次に、カメラＣＰＵ１００は、測距部１３０を用いて被写体までの距離を計測する（ステップＳ１４）。
【００１５】
レンズ情報の取得及び被写体距離の計測が完了すると、カメラＣＰＵ１００は、位置情報生成部１４０を用いて当該レンズ情報及び被写体距離に基づいて、被写体に対して良好な照明を行うことができる反射板３０の配置状態を計算し、当該配置状態に関する位置情報、即ち、アーム３４のスライドレール３６に対するスライド量、スライドレール３６のスライドガイド３８に対するスライド量及び反射板３０とアーム３４の回動角度の情報を生成する（ステップＳ１６）。
【００１６】
次に、カメラＣＰＵ１００は、表示制御部１２０を介して位置情報生成部１４０によって生成された反射板３０の配置に関する位置情報をＬＣＤパネル２０に表示する（ステップＳ１８）。ＬＣＤパネル２０には、例えば「スライドレール：高さ２、アーム：高さ３、反射板角度：４５度」と表示されるため、カメラの使用者は当該表示に従って、後述する各目盛り（数字は不図示ではあるが数字付きの目盛り）の数字を、ＬＣＤパネル２０に表示されている数字に合わせるように、スライドレール３６及びアーム３４を上方へスライドさせ、反射板３０を回動させればよい。
【００１７】
ここで、図７〜図１０を参照して、反射板３０の配置操作について説明する。なお、図７は、ＬＣＤパネル２０に表示された反射板３０の配置に関する位置情報に従って、反射板３０の表反射面３０ａによってストロボ光を反射させるように反射板３０を配置した場合のカメラの模式断面図であり、図８は、このときの反射板及び保持機構の状態を示す斜視図である。
【００１８】
反射板３０を位置情報で示される配置状態に配置する際には、まず、反射板３０、アーム３４及びスライドレール３６を、スライドガイド３８に沿って上方へスライドさせて、開口カバー８４が開放された開口８２からストロボ装置８の上面に突出させる。即ち、スライドレール３６の側面に設けられた高さ目盛り３６ａを確認しながら、ＬＣＤパネル２０に表示されている位置情報で示される高さまでスライドレール３６をスライドさせ、当該位置にスライドレール３６を固定する。
【００１９】
次に、反射板３０及びアーム３４をＬＣＤパネル２０に表示されている位置情報で示される高さまで、アーム３４の側面に設けられた高さ目盛り３４ａを確認しながら、スライドレール３６に沿ってスライドさせて当該位置に固定する。次に、図７に示す矢印Ａの方向に、スライドレール３６の側面に設けられた角度目盛り３６ｂを確認しながら、位置情報で示される角度だけアーム３４を回動させて当該角度において固定させることにより、反射板３０を位置情報で示される配置状態に配置させることができる。
【００２０】
図７に示すように、反射板３０を位置情報で示される配置状態に配置すると、反射板３０の表反射面３０ａ（図８参照）が、発光部４０に対してステップＳ１６で算出された距離及び角度を有する位置に配置された状態になる。
【００２１】
また、図９は、ＬＣＤパネル２０に表示された反射板３０の配置に関する位置情報に従って、反射板３０の裏反射面３０ｂによってストロボ光を反射させるように反射板３０を配置した場合のカメラの模式断面図であり、図１０は、このときの反射板及び保持機構の状態を示す斜視図である。
【００２２】
反射板３０を位置情報で示される配置状態に配置する際には、上述の図７及び図８に示す場合と同様に、ＬＣＤパネル２０に表示されている位置情報に基づいて、スライドレール３６をスライドガイド３８に沿って所定の高さまでスライドさせ、アーム３４をスライドレール３６に沿って所定の高さまでスライドさせる。次に、図９に示す矢印Ｂの方向に、アーム３４の側面に設けられた角度目盛り３４ｂを確認しながら、位置情報で示される角度だけ反射板３０を回動させて当該角度において固定させることにより、反射板３０を位置情報で示される配置状態に配置させることができる。
【００２３】
図９に示すように、反射板３０を位置情報で示される配置状態に配置させると、反射板３０の裏反射面３０ｂ（図１０参照）が、発光部４０に対してステップＳ１６で算出された距離及び角度を有する位置に配置された状態になる。
【００２４】
次に、位置情報生成部１４０は、取得したレンズ情報、被写体距離や撮影条件等を考慮して、発光部４０のカメラ本体４内における配置に関する発光部位置情報を生成し（ステップＳ２０）、発光制御部１５０が、発光部移動機構を駆動して、当該発光部位置情報で示される位置に発光部４０を配置させる（ステップＳ２２）。即ち、発光部４０のカメラ本体４内における発光時の位置を変化させて、ストロボ窓８０を透過するストロボ光の射出角度を変化させる。発光部４０の移動が完了すると、ストロボ発光準備の完了を知らせる表示がＬＣＤパネル２０内に表示される。なお、発光部４０の移動が完了するまでは、シャッタボタン１２が操作されてもレリーズ動作が実行されることはない。
【００２５】
反射板３０の配置が終了し、ストロボ発光準備の完了表示が表示された後に、シャッタボタン１２が使用者によって操作されると（ステップＳ２４）、発光部４０からストロボ光が上方に、即ち撮影レンズ６の光軸に対して垂直な方向に発光される。発光されたストロボ光は、ストロボ窓８０を透過した後に反射板３０の表反射面３０ａまたは裏反射面３０ｂによって被写体に向けて反射されて被写体を照明し、照明された被写体からの被写体光が撮像素子１１０によって画像信号に変換されて被写体の撮影が行われる（ステップＳ２６）。
【００２６】
ストロボ撮影の終了後、モード切替ボタン１４の操作によってストロボ撮影モードが終了されると（ステップＳ２８）、発光制御部１５０が発光部移動機構を駆動して発光部４０を初期位置まで移動し（ステップＳ３０）、ストロボ撮影モードが終了される。所定の位置に配置されていた反射板３０の格納は、使用者によって手動で行われる。なお、ステップＳ２８においてストロボ撮影モードの終了が選択されない場合には、ステップＳ１４に戻り、測距部１３０による被写体距離の計測を再び開始する。
【００２７】
この第１の実施の形態に係るカメラによれば、撮影レンズのレンズ情報及び被写体までの距離に基づいて生成された位置情報で示される配置状態にカメラが備える反射板を配置させることにより、カメラに内蔵された発光部より射出されたストロボ光を反射させて、被写体に対して良好な照明を行うことができる。また、反射部材のみを当該位置情報で示される位置へ配置させればよいので、撮像装置の構造を簡素にして製造コストを低下させることができる。
【００２８】
次に、本発明の第２の実施の形態に係る撮像装置としてのカメラについて説明する。なお、第２の実施の形態に係るカメラは、反射部材を配置制御する駆動機構を有している点で第１の実施の形態に係るカメラとは異なるが、これらの点以外は、第１の実施の形態に係るカメラと同一の構成を備えている。従って、第２の実施の形態の説明においては、第１の実施の形態に係るカメラと同一の構成については説明を省略する。また、この第２の実施の形態に係るカメラの説明においては、第１の実施の形態に係るカメラと同一の構成には第１の実施の形態で用いた符号と同一の符号を付して説明を行う。
【００２９】
図１１は、第２の実施の形態に係るカメラのシステム構成を示すブロック図である。この実施の形態に係るカメラ１０２は、第１の実施の形態に係るカメラ２のシステム構成と同様の構成を有し、更に反射板３０の配置状態を制御する保持機構制御部１７０が接続されている。保持機構制御部１７０には、反射板３０の保持機構であるアーム３４及びスライドレール３６のスライド量や、反射板３０及びアーム３４の回動角度を変化させることのできる駆動機構１７２が接続されている。保持機構制御部１７０は、位置情報生成部１４０により生成された位置情報に基づいて駆動機構１７２を駆動し、発光部４０に対する所定の距離及び角度で示される位置に反射板３０を配置制御する。
【００３０】
次に、図１２のフローチャートを参照して、カメラ１０２のストロボ撮影時に実行される処理について説明する。なお、図１２におけるステップＳ１０〜Ｓ１６、ステップＳ２０〜Ｓ２８までの処理は、第１の実施の形態のカメラ２において実行される処理（図６参照）と同一であるため説明を省略する。
【００３１】
位置情報生成部１４０において反射板３０の配置に関する位置情報が生成されると、カメラ１０２の保持機構制御部１７０が駆動機構１７２を駆動し、反射板３０を当該位置情報で示される状態に配置制御する（ステップＳ１８０）。即ち、生成された位置情報には、アーム３４のスライドレール３６に対するスライド量、スライドレール３６のスライドガイド３８に対するスライド量、反射板３０及びアーム３４の回動角度の情報が含まれているため、反射板３０、アーム３４及びスライドレール３６が、これらの情報で示される状態に配置されるように、保持機構制御部１７０により駆動機構１７２を駆動させる。具体的には、まず、駆動機構１７２は、保持機構制御部１７０の指令に基づいて、位置情報によって示される高さまでスライドレール３６をスライドガイド３８に沿って上方へスライドさせる。図７及び図８に示されるような状態に反射板３０を配置する場合には、駆動機構１７２は、アーム３４をスライドレール３６の所定高さまでスライド移動させた後に、アーム３４を位置情報によって示される角度だけ回動駆動する。このようにして、アーム３４を位置情報で示される配置状態に配置することで、反射板３０を当該配置状態に配置して、反射板３０の表反射面３０ａによって発光部４０から射出されるストロボ光を反射できる状態にする。
【００３２】
一方、反射板３０を図９及び図１０に示されるような状態に配置する場合には、駆動機構１７２は、位置情報によって示される高さまでアーム３４をスライドレール３６に沿ってスライド移動させた後に、位置情報によって示される角度だけ、回動軸３２を中心に反射板３０を前方へ張り出すように回動させる。このようにして反射板３０を配置することで、反射板３０の裏反射面３０ｂによって発光部４０から射出されるストロボ光を反射できる状態にする。
【００３３】
そして、反射板３０の配置完了後、発光部４０の配置が完了すると、ストロボ発光準備の完了表示が表示され、シャッタボタンの操作があると、ストロボ光が発光され被写体の撮影が行われる。
【００３４】
ストロボ撮影の終了後、モード切替ボタン１４の操作によってストロボ撮影モードが終了されると（ステップＳ２８）、保持機構制御部１７０により駆動機構１７２を駆動制御して、反射板３０をカメラ本体４内に収納する（ステップＳ２８０）。そして、発光制御部１５０により発光部移動機構を駆動して発光部４０を初期位置まで移動させ（ステップＳ３０）、ストロボ撮影モードを終了する。
【００３５】
この第２の実施の形態に係るカメラによれば、撮影レンズのレンズ情報及び被写体までの距離に基づいて生成された位置情報で示される配置状態にカメラが備える反射板を自動的に配置させることにより、カメラに内蔵された発光部より射出されたストロボ光を反射させて、被写体に対して良好な照明を行うことができる。また、反射板を当該配置状態に自動的に配置することができるので、操作が簡便になり、反射板の配置を誤ることがない。更に、反射部材のみを当該位置情報で示される位置へ配置させればよいので、撮像装置の構造を簡素にして製造コストを低下させることができる。
【００３６】
次に、本発明の第３の実施の形態に係る撮像装置としてのカメラについて説明する。なお、第３の実施の形態に係るカメラは、カメラ本体の上面にホットシューを備え、当該ホットシューに着脱可能なストロボ装置が装着される点、及び当該ストロボ装置にストロボ光を反射させる反射板及び反射板の保持機構が内蔵される点で第１の実施の形態に係るカメラとは異なるが、これらの点以外は、第１の実施の形態に係るカメラと同一の構成を備えている。従って、第３の実施の形態の説明においては、第１の実施の形態に係るカメラと同一の構成については説明を省略する。また、この第３の実施の形態に係るカメラの説明においては、第１の実施の形態に係るカメラと同一の構成には第１の実施の形態で用いた符号と同一の符号を付して説明を行う。
【００３７】
図１３は、第３の実施の形態に係るストロボ装置に設けられた反射板の裏反射面によってストロボ光を反射させるときのカメラの模式側面図である。カメラ２０２のカメラ本体４の上面には、着脱可能な外付けストロボ装置２０４が装着されるホットシュー２０６が設けられている。外付けストロボ装置２０４は、長手方向の一端面にストロボ窓８０、開口８２（不図示）、開口カバー８４を備えると共に、内部に発光部４０、反射板３０、アーム３４、スライドレール３６及びスライドガイド３８（不図示）を備えている。外付けストロボ装置２０４を使用して通常のストロボ撮影、即ちカメラ２０２の撮影レンズ６の光軸に対して略平行な方向に射出されるストロボ光により被写体を照明する場合には、図１３に破線によって示すような状態で外付けストロボ装置２０４をホットシュー２０６に装着させる。このようにして外付けストロボ装置２０４を装着させると、外付けストロボ装置２０４に内蔵された発光部４０から発光されたストロボ光は、ストロボ窓８０を透過して撮影レンズ６の光軸に対して略平行な方向に射出される。
【００３８】
一方、反射板３０によって反射されたストロボ光によって被写体を照明する場合には、図１３に実線によって示すように、ストロボ装置２０４をストロボ窓８０が上方に向くように回動させる。ストロボ撮影時には、カメラ２０２が備える位置情報生成部１４０により生成された反射板３０の配置に関する位置情報がＬＣＤパネル２０に表示されるため、当該位置情報に従って、第１の実施の形態における操作と同様に、外付けストロボ装置２０４内からスライドレール３６及びアーム３４を所定の高さまで繰り出し、反射板３０を所定の角度まで回動させればよい。このようにして反射板３０を当該位置情報によって示される配置状態に配置すると、発光部４０から射出されるストロボ光を反射板３０の表反射面３０ａまたは裏反射面３０ｂによって反射させることができる。
【００３９】
なお、外付けストロボ装置２０４内に、第２の実施の形態と同様に保持機構制御部１７０及び駆動機構１７２を設けて、配置に関する位置情報によって示される配置状態に、反射板３０が自動的に配置制御されるようにしてもよい。
【００４０】
この第３の実施の形態に係るカメラによれば、撮影レンズのレンズ情報及び被写体までの距離に基づいて生成された位置情報で示される配置状態に反射板を配置させることにより、カメラに内蔵された発光部より射出されたストロボ光を反射させて、被写体に対して良好な照明を行うことができる。
【００４１】
なお、上述の実施の形態においては、交換式の撮影レンズを備えるカメラを例として説明したが、固定式の撮影レンズを備えるカメラであってもよい。
【００４２】
また、上述の実施の形態においては、表反射面３０ａ及び裏反射面３０ｂは、共に平面状のミラーから形成されているが、反射率や反射光の拡散角を変更するべく、白色板等の他の反射部材や曲面形状等の異なる形状で形成してもよい。
【００４３】
なお、第１実施形態において、キャッチライト撮影を行う場合には、図１４に示すように、アーム３４をスライドレール３６に沿ってスライドさせることにより反射板３０をカメラ上面に突出させる。このように反射板３０を撮影レンズ６の光軸にほぼ垂直な方向に突出させることで、発光部４０から発光された光は表反射面３０ａで反射されてキャッチライトとして作用する。
【００４４】
なお、この図１４の状態に反射板３０を配置する動作は、使用者に配置操作させるのではなく、上述の第２実施形態と同様に、カメラ側に設けた駆動機構により自動的に行われるようにしても良い。
【図面の簡単な説明】
【００４５】
【図１】第１の実施の形態に係るカメラのストロボ装置未使用時の外観を示す斜視図である。
【図２】第１の実施の形態に係るカメラの背面の構成を示す図である。
【図３】第１の実施の形態に係るストロボ装置未使用時のカメラの模式断面図である。
【図４】第１の実施の形態に係るカメラが備える反射板及び保持機構がカメラ本体内に収納されているときの状態を示す斜視図である。
【図５】第１の実施の形態に係るカメラのシステム構成を示すブロック図である。
【図６】第１の実施の形態に係るカメラのストロボ撮影時に実行される処理を示すフローチャートである。
【図７】第１の実施の形態に係る反射板の表反射面によってストロボ光を反射させるときのカメラの模式断面図である。
【図８】第１の実施の形態に係る反射板の表反射面によってストロボ光を反射させるときの反射板及び保持機構の状態を示す斜視図である。
【図９】第１の実施の形態に係る反射板の裏反射面によってストロボ光を反射させるときのカメラの模式断面図である。
【図１０】第１の実施の形態に係る反射板の裏反射面によってストロボ光を反射させるときの反射板及び保持機構の状態を示す斜視図である。
【図１１】第２の実施の形態に係るカメラのシステム構成を示すブロック図である。
【図１２】第２の実施の形態に係るカメラのストロボ撮影時に実行される処理を示すフローチャートである。
【図１３】第３の実施の形態に係るストロボ装置に設けられた反射板の裏反射面によってストロボ光を反射させるときのカメラの模式断面図である。
【図１４】第１の実施の形態におけるキャッチライト撮影を行う際のカメラの模式断面図である。
【符号の説明】
【００４６】
２，１０２，２０２…カメラ、４…カメラ本体、６…撮影レンズ、８…ストロボ装置、１４…モード切替スイッチ、２０…ＬＣＤパネル、３０…反射板、３０ａ…表反射面、３０ｂ…裏反射面、３２…回動軸、３４…アーム、３６…スライドレール、３８…スライドガイド、４０…発光部、８０…ストロボ窓、８２…開口、１００…カメラＣＰＵ、１１０…撮像素子、１２０…表示制御部、１３０…測距部、１４０…位置情報生成部、１５０…発光制御部、１６０…レンズ情報取得部、１７０…保持機構制御部、２０４…外付けストロボ装置、２０６…ホットシュー、６００…レンズＣＰＵ
【図１】
2010039025.tif 000003
【図２】
2010039025.tif 000004
【図３】
2010039025.tif 000005
【図４】
2010039025.tif 000006
【図５】
2010039025.tif 000007
【図６】
2010039025.tif 000008
【図７】
2010039025.tif 000009
【図８】
2010039025.tif 000010
【図９】
2010039025.tif 000011
【図１０】
2010039025.tif 000012
【図１１】
2010039025.tif 000013
【図１２】
2010039025.tif 000014
【図１３】
2010039025.tif 000015
【図１４】
2010039025.tif 000016